【手続補正書】
【提出日】平成23年10月12日(2011.10.12)
【手続補正１】
【補正対象書類名】特許請求の範囲
【補正対象項目名】全文
【補正方法】変更
【補正の内容】
【特許請求の範囲】
【請求項１】
検体容器を搬送する搬送装置と、
前記搬送装置に沿って配置され、前記搬送装置により搬送された検体容器中の検体を測定するための、第一の分析装置と、
前記搬送装置に沿って配置され、前記搬送装置により搬送された検体容器中の検体を測定するための、第二の分析装置と、
前記搬送装置による検体容器の搬送先となる分析装置を決定し、当該決定した搬送先である分析装置に検体容器を搬送するよう前記搬送装置を制御する搬送制御装置と、
を備える検体処理システムであって、
前記搬送制御装置は、搬送する検体容器中の検体が初検測定の対象である場合、当該検体容器を前記第一及び第二の分析装置のいずれかに搬送するよう前記搬送装置を制御し、搬送する検体容器中の検体が再検測定の対象である場合、当該容器を前記第二の分析装置に搬送するよう前記搬送装置を制御する、検体処理システム。
【請求項２】
前記搬送制御装置は、前記第一の分析装置が初検測定用であり、前記第二の分析装置が初検測定用及び再検測定用であることを登録する登録部を備える、請求項１に記載の検体処理システム。
【請求項３】
検体容器を搬送する搬送装置と、
前記搬送装置に沿って配置され、前記搬送装置により搬送された検体容器中の検体を測定するための、第一の分析装置と、
前記搬送装置に沿って配置され、前記搬送装置により搬送された検体容器中の検体を測定するための、第二の分析装置と、
前記搬送装置による検体容器の搬送先となる分析装置を決定し、当該決定した搬送先である分析装置に検体容器を搬送するよう前記搬送装置を制御する搬送制御装置と、
を備える検体処理システムであり、
前記搬送制御装置は、前記第一の分析装置が初検測定用であり、前記第二の分析装置が初検測定用及び再検測定用であることを登録する登録部を備え、
前記搬送制御装置は、前記登録部に登録された登録内容に基づき、前記搬送装置による検体容器の搬送先となる分析装置を決定する、検体処理システム。
【請求項４】
前記搬送制御装置は、搬送する検体が再検測定の対象である場合、当該検体の搬送先となる分析装置を前記第二の分析装置に決定する、請求項３に記載の検体処理システム。
【請求項５】
前記搬送制御装置は、搬送する検体が初検測定の対象である場合、当該検体の搬送先となる分析装置を前記第一又は第二の分析装置のいずれかに決定する、請求項３又は４に記載の検体処理システム。
【請求項６】
前記検体が初検測定の対象であり、前記検体を収容する検体容器が前記第一及び第二の分析装置のうち前記第一の分析装置に搬送された場合に、前記第一の分析装置が前記検体に対する初検測定を実施する、請求項１又は５記載の検体処理システム。
【請求項７】
前記初検測定の後に、前記検体に対する再検測定を行なう場合、前記搬送制御装置は、前記検体容器を前記第一の分析装置から前記第二の分析装置へ搬送するよう前記搬送装置を制御する、請求項６に記載の検体処理システム。
【請求項８】
前記検体が初検測定の対象であり、前記検体を収容する検体容器が前記第一及び第二の分析装置のうち前記第二の分析装置に搬送された場合に、前記第二の分析装置が前記検体に対する初検測定を実施する、請求項１又は５記載の検体処理システム。
【請求項９】
前記初検測定の後に、前記検体に対する再検測定を行なう場合、前記搬送制御装置は、前記検体容器を前記第二の分析装置が検体を取得するための位置へ搬送するよう前記搬送装置を制御する、請求項８に記載の検体処理システム。
【請求項１０】
前記搬送制御装置は、前記初検測定の後に、初検測定後の検体を収容する検体容器を前記第二の分析装置の近傍に待機させるよう前記検体搬送装置を制御する、請求項９に記載の検体処理システム。
【請求項１１】
前記第二の分析装置は、前記第一の分析装置に対し、前記搬送装置による検体容器の搬送方向において下流側に位置する、請求項１又は３に記載の検体処理システム。
【請求項１２】
前記搬送装置は、当該搬送装置上の所定の位置に検体容器が存在するか否かを検出する検出器を備え、
前記搬送制御装置は、前記検出器の検出結果に基づき、検体の搬送先となる分析装置を決定する、請求項１又は３に記載の検体処理システム。
【請求項１３】
前記所定の位置は、前記第一の分析装置近傍の第一位置、及び／又は、前記第一位置に検体容器を供給する前に検体容器を一時的に保持するための第二位置である、請求項１２に記載の検体処理システム。
【請求項１４】
前記所定の位置は、前記第二の分析装置近傍の第一位置、及び／又は、前記第一位置に検体容器を供給する前に検体容器を一時的に保持するための第二位置である、請求項１２に記載の検体処理システム。
【請求項１５】
前記所定の位置は、前記第一の分析装置近傍の第一位置、及び、前記第一位置に検体容器を供給する前に検体容器を一時的に保持するための第二位置、並びに、前記第二の分析装置近傍の第三位置、及び、前記第三位置に検体容器を供給する前に検体容器を一時的に保持するための第四位置であり、
前記搬送制御装置は、前記第一位置および前記第二位置の少なくとも一方に検体容器が存在しない場合に、検体の搬送先を前記第一の分析装置に決定し、前記第三位置および前記第四位置の両方に検体容器が存在しない場合に、検体の搬送先を前記第二の分析装置に決定する、請求項１２に記載の検体処理システム。
【手続補正２】
【補正対象書類名】明細書
【補正対象項目名】０００５
【補正方法】変更
【補正の内容】
【０００５】
上述した課題を解決するために、本発明の一の態様の検体処理システムは、検体容器を搬送する搬送装置と、前記搬送装置に沿って配置され、前記搬送装置により搬送された検体容器中の検体を測定するための、第一の分析装置と、前記搬送装置に沿って配置され、前記搬送装置により搬送された検体容器中の検体を測定するための、第二の分析装置と、前記搬送装置による検体容器の搬送先となる分析装置を決定し、当該決定した搬送先である分析装置に検体容器を搬送するよう前記搬送装置を制御する搬送制御装置と、を備える。この検体処理システムにおいて、前記搬送制御装置は、搬送する検体容器中の検体が初検測定の対象である場合、当該検体容器を前記第一及び第二の分析装置のいずれかに搬送するよう前記搬送装置を制御し、搬送する検体容器中の検体が再検測定の対象である場合、当該容器を前記第二の分析装置に搬送するよう前記搬送装置を制御する。
【手続補正３】
【補正対象書類名】明細書
【補正対象項目名】０００７
【補正方法】変更
【補正の内容】
【０００７】
また本発明の別の態様の検体処理システムは、検体容器を搬送する搬送装置と、前記搬送装置に沿って配置され、前記搬送装置により搬送された検体容器中の検体を測定するための、第一の分析装置と、前記搬送装置に沿って配置され、前記搬送装置により搬送された検体容器中の検体を測定するための、第二の分析装置と、前記搬送装置による検体容器の搬送先となる分析装置を決定し、当該決定した搬送先である分析装置に検体容器を搬送するよう前記搬送装置を制御する搬送制御装置と、を備える。この検体処理システムにおいて、前記搬送制御装置は、前記第一の分析装置が初検測定用であり、前記第二の分析装置が初検測定用及び再検測定用であることを登録する登録部を備え、前記搬送制御装置は、前記登録部に登録された登録内容に基づき、前記搬送装置による検体容器の搬送先となる分析装置を決定する。